(57)【要約】      （修正有）【課題】塗工に使用するほぼ全ての刷毛の柄首部に液垂れ防止具を装着でき，塗布液が柄部に垂れ流れて、手や衣服を汚れるのを防止する液垂れ防止具を安価に提供する。【解決手段】刷毛ＨＫで柄首部ｅ２部分の柄部が右割柄部ｗａと左割柄部ｗｂで構成される刷毛ＨＫの場合は，糸で編まれた編み物である柄首液垂れ防止具ＮＢを装着させる前に，刷毛ＨＫの右割柄部ｗａと左割柄部ｗｂの間であって，柄首部ｅ２に割柄間液垂れ防止具を前記刷毛ＨＫの右割柄部ｗａと左割柄部ｗｂの内側と前記柄首液垂れ防止具ＮＢの最内層に接するように装着し，前記柄首液垂れ防止具ＮＢを刷毛ＨＫの柄首部ｅ２に装着して，垂れ流れる塗布液を含浸し、前記柄首液垂れ防止具ＮＢの上周縁ｈ１から下周縁ｈ２にかけて、吸着し濾過する。【選択図】図９
2014133226.tif 000002
【特許請求の範囲】
【請求項１】
刷毛（ＨＫ）の柄首部（ｅ２）に装着して用いる液垂れ防止具（Ｎ）であって，前記液垂れ防止具（Ｎ）は、伸縮性を有し，前記刷毛（ＨＫ）の柄首部（ｅ２）で、前記液垂れ防止具（Ｎ）は、垂れ流れる塗布液を含浸して吸着することを特徴とする液垂れ防止具（Ｎ）。
【請求項２】
請求項１の液垂れ防止具（Ｎ）であって，前記液垂れ防止具（Ｎ）は、筒状の構造で、糸で編まれた編み物であることを特徴とする液垂れ防止具（Ｎ）。
【請求項３】
請求項１の液垂れ防止具（Ｎ）であって，前記液垂れ防止具（Ｎ）は、帯状の構造で、糸で編まれた編み物であることを特徴とする液垂れ防止具（Ｎ）。
【請求項４】
請求項１〜請求項３のいずれかの液垂れ防止具（Ｎ）を形成するための長尺液垂れ防止具材（Ａ）であって、前記長尺液垂れ防止具材（Ａ）は、筒状の構造で、伸縮性と吸着性を有し、前記長尺液垂れ防止具材（Ａ）は、前記長尺液垂れ防止具材（Ａ）の所望する箇所を裁断することにより所望する長さの請求項１〜請求項３のいずれかの前記液垂れ防止具（Ｎ）を複数個以上形成することができる、前記液垂れ防止具（Ｎ）は、前記長尺液垂れ防止具材（Ａ）によって形成されることを特徴とする液垂れ防止具（Ｎ）。
【請求項５】
請求項１〜請求項４のいずれかの液垂れ防止具（Ｎ）であって，前記液垂れ防止具（Ｎ）は、２以上の複数層であることを特徴とする液垂れ防止具（Ｎ）。
【請求項６】
請求項５の液垂れ防止具（Ｎ）であって，前記液垂れ防止具（Ｎ）は、２以上の複数層の上周縁（ｈ１）が開いていることを特徴とする液垂れ防止具（Ｎ）。
【請求項７】
請求項５又は請求項６の液垂れ防止具（Ｎ）であって，前記液垂れ防止具（Ｎ）は，２以上の複数層の下周縁（ｈ２）が閉じていることを特徴とする液垂れ防止具（Ｎ）。
【請求項８】
請求項５〜請求項７のいずれかの液垂れ防止具（Ｎ）であって，前記液垂れ防止具（Ｎ）は、２以上の複数層の各々の層の長さが上周縁（ｈ１）側で違うことを特徴とする液垂れ防止具（Ｎ）。
【請求項９】
請求項２〜８のいずれかの液垂れ防止具（Ｎ）であって，前記液垂れ防止具（Ｎ）は、複数の編み方で編まれた編み物であることを特徴とする液垂れ防止具（Ｎ）。
【請求項１０】
請求項２〜請求項９のいずれかの液垂れ防止具（Ｎ）であって，前記液垂れ防止具（Ｎ）は、解れ防止加工を施していることを特徴とする液垂れ防止具（Ｎ）。
【請求項１１】
請求項１〜請求項１０のいずれかの液垂れ防止具（Ｎ）であって，前記液垂れ防止具（Ｎ）は、少なくとも最表層（ｇｈ）の所望する面に伸縮性を有する防水性薄膜（ｂｈ）で防水加工していることを特徴とする液垂れ防止具（Ｎ）。
【請求項１２】
刷毛（ＨＫ）で、柄首部（ｅ２）部分の柄部（ｅ１）が右割柄部（ｗａ）と左割柄部（ｗｂ）で構成される刷毛（ＨＫ）の場合は，請求項１〜請求項１１のいずれかの柄首液垂れ防止具（ＮＢ）と，更に前記柄首液垂れ防止具（ＮＢ）を装着させる前に，前記刷毛（ＨＫ）の右割柄部（ｗａ）と左割柄部（ｗｂ）の間であって，柄首部（ｅ２）に割柄間液垂れ防止具（ＮＣ）を前記刷毛（ＨＫ）の右割柄部（ｗａ）と左割柄部（ｗｂ）の内側と前記柄首液垂れ防止具（ＮＢ）の最内層（ｎｈ）に接するように装着し，前記柄首液垂れ防止具（ＮＢ）を前記刷毛（ＨＫ）に装着することを特徴とする液垂れ防止具（Ｎ）の装着方法。
【請求項１３】
請求項１〜請求項１０のいずれかの液垂れ防止具（Ｎ）を柄首部（ｅ２）に装着された刷毛（ＨＫ）であって、前記刷毛（ＨＫ）に着された前記液垂れ防止具（Ｎ）の上周縁（ｈ１）が見えるように、請求項１〜請求項１１のいずれかの柄首液垂れ防止具（ＮＢ）を前記刷毛（ＨＫ）に着された前記液垂れ防止具（Ｎ）の上に重ねて装着することを特徴とする液垂れ防止具（Ｎ）の装着方法。
【発明の詳細な説明】
【技術分野】
【０００１】
本発明は，刷毛（ＨＫ）の柄首部（ｅ２）に装着して用いる液垂れ防止具（Ｎ）であって、前記液垂れ防止具（Ｎ）は，伸縮性を有し、前記刷毛（ＨＫ）の柄首部（ｅ２）で、前記液垂れ防止具（Ｎ）は、垂れ流れる塗布液を含浸する。
前記液垂れ防止具（Ｎ）は、前記塗布液を前記液垂れ防止具（Ｎ）の上周縁（ｈ１）から下周縁（ｈ２）にかけて浸透中に、前記液垂れ防止具（Ｎ）は、前記塗布液の粒子が大きい顔料から段々と吸着しながら濾過する。
濾過された塗布液は、徐々に蒸発する。
前記液垂れ防止具（Ｎ）を前記刷毛（ＨＫ）の柄首部（ｅ２）に装着することにより、長時間塗工しても、塗布液が手元に垂れ流れず、手や衣料の袖口を濡らし汚すのを防止して、作業能率を上げるために、刷毛（ＨＫ）に装着して用いる液垂れ防止具（Ｎ）と液垂れ防止具（Ｎ）の装着方法に関するものである。
【０００２】
なを、液垂れ防止具（Ｎ）は、柄首液垂れ防止具（ＮＢ）と割柄間液垂れ防止具（ＮＣ）のことである。
【背景技術】
【０００３】
刷毛（ＨＫ）は，大別すると，柄を割り、毛束部（ｋｓ）を挟み，針金又は糸でとじた和刷毛と、金具で巻いて鋲で締めた洋刷毛があり，刷毛（ＨＫ）の種類としては１０００種類以上もあり，毛束部（ｋｓ）の毛の種類や職人のこだわりの品を含めると１００００種類を超えるといわれている。
また刷毛（ＨＫ）には、ほかにもローラー刷毛（ＲＨ）がある。
【０００４】
塗工は、塗布液が垂れないように，刷毛（ＨＫ）の毛束部（ｋｓ）に塗布液を含ませて、毛束部（ｋｓ）をペンキ缶の内壁でしごいてから塗布している。
手を保護する為に軍手やビニール手袋などをするが，刷毛（ＨＫ）の毛束部（ｋｓ）を水平より上にして塗工すると，だんだんと前記毛束部（ｋｓ）に含ませた塗布液が柄首部（ｅ２）へ流れ，前記柄首部（ｅ２）から手元へと垂れ流れ，前記塗布液が軍手に浸みこみ、手を濡らして汚し，服の袖口を濡らして汚し、作業能率を落としていた。
【０００５】
作業中に、塗布液で濡らし汚れた手は、水や石けんでは落ちないため有機系溶剤（シンナーなど）で落とすが、塗布液や有機系溶剤（シンナーなど）は肌に良い物ではなく、爪の周りに入った塗布液は特にとれにくく、長い間爪の周りが塗布液で汚れたままであった。
【０００６】
刷毛（ＨＫ）から塗布液が垂れ流れるのを防止するために，公開特許公報・公開実用新案広報として，下記のような発明がある。
刷毛の毛結部に針金若しくは糸でスポンジを取り付けたペンキ漏れを防止した刷毛(実開平７−４５０５８を参照）、歯ブラシ柄の伝水防止器（実開昭５９−１２８２２８参照）、ハケ・ペンキ返し（特開２００７−１４３８を参照）、受皿付き天井用刷毛(特開２０００−２４５５３４を参照）、ペンキ塗り用の刷毛からのペンキ液タレ落ち防止受皿(特開平１０−２８９２０を参照）、つたい流れ止め受皿形鍔付き刷毛（実開平４−２７８３０を参照）、はけの受皿（実開昭６２―１３２７８６を参照）、防虫・防腐剤塗布用液垂れ防止刷毛装置（特開２００６−２９７２４６を参照）、塗装用刷毛の液垂れ防止ツバ形スカート袋（特願２００２−１１１５２５を参照）、はけカバー（実開昭５６−１３９２８を参照）などがある。
【先行技術文献】
【特許文献】
【０００７】
【特許文献１】特開平１０−２８９２０
【特許文献２】特開２０００−２４５５３４
【特許文献３】特願２００２−１１１５２５
【特許文献４】特開２００６−２９７２４６
【特許文献５】特開２００７−１４３８
【特許文献６】実開昭５６−１３９２８
【特許文献７】実開昭５９−１２８２２８
【特許文献８】実開昭６２―１３２７８６
【特許文献９】実開平４−２７８３０
【特許文献１０】実開平７−４５０５８
【発明の概要】
【発明が解決しようとする課題】
【０００８】
本発明が解決しようとする課題は，作業能率を上げるために、刷毛（ＨＫ）に装着して用いる液垂れ防止具（Ｎ）と安価に提供する為の長尺液垂れ防止具材（Ａ）と前記液垂れ防止具（Ｎ）の装着方法である。
【課題を解決するための手段】
【０００９】
液垂れ防止具（Ｎ）に関する請求項１の発明の課題を解決するための手段は，刷毛（ＨＫ）の柄首部（ｅ２）に装着して用いる液垂れ防止具（Ｎ）であって，前記液垂れ防止具（Ｎ）は、伸縮性を有し，前記刷毛（ＨＫ）の柄首部（ｅ２）で、前記液垂れ防止具（Ｎ）は、垂れ流れる塗布液を含浸して吸着すること。
【００１０】
液垂れ防止具（Ｎ）に関する請求項２の発明の課題を解決するための手段は，請求項１の液垂れ防止具（Ｎ）であって，前記液垂れ防止具（Ｎ図１ａ、図１ｂ）は、筒状の構造で、糸で編まれた編み物であること。
【００１１】
液垂れ防止具（Ｎ）に関する請求項３の発明の課題を解決するための手段は，請求項１の液垂れ防止具（Ｎ）であって，前記液垂れ防止具（Ｎ）は、帯状の構造で、糸で編まれた編み物であること。
【００１２】
液垂れ防止具（Ｎ）に関する請求項４の発明の課題を解決するための手段は，請求項１〜請求項３のいずれかの液垂れ防止具（Ｎ）を形成するための長尺液垂れ防止具材（Ａ）であって、前記長尺液垂れ防止具材（Ａ）は、筒状の構造で伸縮性と吸着性を有し、前記長尺液垂れ防止具材（Ａ）は、前記長尺液垂れ防止具材（Ａ）の所望する箇所を裁断することにより、所望する長さの請求項１〜請求項３のいずれかの前記液垂れ防止具（Ｎ）を複数個以上形成することができる、前記液垂れ防止具（Ｎ）は、前記長尺液垂れ防止具材（Ａ）によって形成されること。
【００１３】
液垂れ防止具（Ｎ）に関する請求項５の発明の課題を解決するための手段は，請求項１〜請求項４のいずれかの液垂れ防止具（Ｎ）であって，前記液垂れ防止具（Ｎ図２、図４ａ、図４ｂ）は、２以上の複数層であること。
【００１４】
液垂れ防止具（Ｎ）に関する請求項６の発明の課題を解決するための手段は，請求項５の液垂れ防止具（Ｎ）であって，前記液垂れ防止具は，２以上の複数層の上周縁（ｈ１図２，図４ａ、図４ｂ）が開いていること。
【００１５】
液垂れ防止具（Ｎ）に関する請求項７の発明の課題を解決するための手段は，請求項５又は請求項６の液垂れ防止具（Ｎ）であって，前記液垂れ防止具（Ｎ）は，２以上の複数層の下周縁（ｈ２図２，図４ａ、図４ｂ）が閉じていること。
【００１６】
液垂れ防止具（Ｎ）に関する請求項８の発明の課題を解決するための手段は，請求項５〜請求項７のいずれかの液垂れ防止具（Ｎ）であって，前記液垂れ防止具（Ｎ）は、２以上の複数層の各々の層の長さが上周縁（ｈ１図４ａ、図４ｂ）側で違うこと。
【００１７】
液垂れ防止具（Ｎ）に関する請求項９の発明の課題を解決するための手段は，請求項２〜８のいずれかの液垂れ防止具（Ｎ）であって，前記液垂れ防止具（Ｎ図３ａ、図３ｂ）は、複数の編み方で編まれた編み物であること。
【００１８】
液垂れ防止具（Ｎ）に関する請求項１０の発明の課題を解決するための手段は，請求項２〜請求項９のいずれかの液垂れ防止具（Ｎ）であって，前記液垂れ防止具（Ｎ）は、解れ防止加工を施していること。
【００１９】
液垂れ防止具（Ｎ）に関する請求項１１の発明の課題を解決するための手段は，請求項１〜請求項１０のいずれかの液垂れ防止具（Ｎ）であって，前記液垂れ防止具（Ｎ）は、少なくとも最表層（ｇｈ）の所望する面に伸縮性を有する防水性薄膜（ｂｈ）で防水加工していること。
【００２０】
液垂れ防止具（Ｎ）に関する請求項１２の発明の課題を解決するための手段は，刷毛（ＨＫ）で、柄首部（ｅ２）部分の柄部（ｅ１）が右割柄部（ｗａ図７ａ、図７ｂ）と左割柄部（ｗｂ）で構成される刷毛（ＨＫ）の場合は，請求項１〜請求項１１のいずれかの柄首液垂れ防止具（ＮＢ）と，更に前記柄首液垂れ防止具（ＮＢ）を装着させる前に，前記刷毛（ＨＫ）の右割柄部（ｗａ図７ａ、図７ｂ）と左割柄部（ｗｂ図７ａ、図７ｂ）の間であって，柄首部（ｅ２）に割柄間液垂れ防止具（ＮＣ）を前記刷毛（ＨＫ）の右割柄部（ｗａ図７ａ、図７ｂ）と左割柄部（ｗｂ図７ａ、図７ｂ）の内側と前記柄首液垂れ防止具（ＮＢ）の最内層（ｎｈ）に接するように装着し，前記柄首液垂れ防止具（ＮＢ）を前記刷毛（ＨＫ）に装着する液垂れ防止具（Ｎ）の装着方法。
【００２１】
液垂れ防止具（Ｎ）に関する請求項１３の発明の課題を解決するための手段は，請求項１〜請求項１０のいずれかの液垂れ防止具（Ｎ）を柄首部（ｅ２）に装着された刷毛（ＨＫ）であって、前記刷毛（ＨＫ）に着された前記液垂れ防止具（Ｎ）の上周縁（ｈ１）が見えるように、請求項１〜請求項１１のいずれかの柄首液垂れ防止具（ＮＢ）を前記刷毛（ＨＫ）に着された前記液垂れ防止具（Ｎ）の上に重ねて装着する液垂れ防止具（Ｎ）の装着方法。
【発明の効果】
【００２２】
請求項１の発明にかかわる手段である，刷毛（ＨＫ）の柄首部（ｅ２）に装着して用いる液垂れ防止具（Ｎ）であって，前記液垂れ防止具（Ｎ）は、伸縮性を有し，前記刷毛（ＨＫ）の柄首部（ｅ２）で前記液垂れ防止具（Ｎ）は、垂れ流れる塗布液を含浸して吸着することには下記に記す効果がある。
（００１）刷毛（ＨＫ）の毛締部（ｋｍ）に垂れ流れる塗布液を柄首部（ｅ２）で液垂れ防止具（Ｎ）が前記塗布液含浸して吸着するため，刷毛（ＨＫ）の柄首部（ｅ２）より下の柄部（ｅ１）に塗布液が垂れ流れない。
（００２）液垂れ防止具（Ｎ）を刷毛（ＨＫ）の柄首部（ｅ２）に装着して用いるため、塗布液が刷毛（ＨＫ）の柄部（ｅ１）に垂れ流れないため、手や衣服（袖口）を汚さない。
（００３）液垂れ防止具（Ｎ）は，刷毛（ＨＫ）の柄首部（ｅ２）に装着するが、塗工において液垂れ防止具（Ｎ）の重さを感じさせないほど小さく軽く作ることができ、塗工を邪魔しない。
【００２３】
請求項２の発明にかかわる手段である，請求項１の液垂れ防止具（Ｎ）であって，前記液垂れ防止具（Ｎ図１ａ、図１ｂ）は、筒状の構造であることには，下記に記す効果がある。
（００１）塗布液は、前記液垂れ防止具（Ｎ）の上周縁（ｈ１）から下周縁（ｈ２）へと含浸するが、前記液垂れ防止具（Ｎ）は、前記塗布液の粒子の粗い顔料から順に、吸着し濾過する。
（００２）筒状の編み物である液垂れ防止具（Ｎ図１ｂ）は，伸縮自在で柔軟性があるため，柄首部（ｅ２）に装着，脱着が容易である。
【００２４】
請求項３の発明にかかわる手段である，請求項１の液垂れ防止具（Ｎ）であって，前記液垂れ防止具（Ｎ図６ｃ）は、帯状の構造であることには，下記に記す効果がある。    
帯状の構造で編み物である液垂れ防止具（Ｎ図６ｃ）は，刷毛（ＨＫ）で極端に太い柄首部（ｅ２）や極端に細い柄首部（ｅ２）にも装着することができる。
【００２５】
請求項２と請求項３の発明にかかわる手段である，請求項１の液垂れ防止具（Ｎ）であって，前記液垂れ防止具（Ｎ図６ｃ）は、糸で編まれた編み物であることには，下記に記す効果がある。
（００１）液垂れ防止具（Ｎ）に使用される糸は，塗布液に使用するシンナーや薬剤に強いため、水性塗料，油性塗料，ニス，ウレタン塗料，防虫防腐剤，シロアリ予防剤、白木灰汁抜き液など、ほとんどの前記塗布液を前記液垂れ防止具（Ｎ）は、含浸して吸着し濾過するが、前記液垂れ防止具（Ｎ）は塗布液に犯されない。
（００２）液垂れ防止具（Ｎ）の上周縁（ｈ１）がほどよく解れ毛羽立つことで、含浸しやすくなる。
（００３）編み物である液垂れ防止具（Ｎ）は，安価に製造できる。
（００４）編み物である液垂れ防止具（Ｎ図１ｂ）は，伸縮自在で柔軟性があるため，刷毛（ＨＫ）にフイットする。
（００５）液垂れ防止具（Ｎ）を装着しない場合よりも筒状の編み物である液垂れ防止具（Ｎ）を装着した場合、手が滑りにくい。
（００６）筒状の編み物である液垂れ防止具（Ｎ図１ｂ）は，伸縮性を有するので，刷毛（ＨＫ）で、極端に太い柄首部（ｅ２）や極端に細い柄首部（ｅ２）をのぞき、前記垂れ防止具（Ｎ図１ｂ）は，ほぼ全ての刷毛（ＨＫ図１ｂ）に装着できる。
（００７）用途によっては、耐酸性の糸で編むことで、耐酸性用の刷毛用（ＨＫ）の液垂れ防止具（Ｎ）を形成することができる。
【００２６】
糸は，繊維をほぐし、くしけずるようにして繊維を並べ、撚りをかけて糸にするが、糸には毛羽があり、非常に軽く、柔軟さと強靱さがある。
糸は繊維に撚りをかけて糸にするが、繊維は緻密な結晶部分と粗雑な非結晶部分で成り立ち、塗布液の顔料が繊維に近づくと、繊維の表面へ吸着され、粗雑な非結晶部分に入り吸着する。
【００２７】
本発明に使用される糸の一例として，自然繊維でできた糸、合成繊維でできた糸、混合繊維でできた糸、その他にもリサイクルされた糸が考えられる。
糸で編まれた筒状の構造の一例として，中空円柱，中空段付き円柱，中空円錐台，中空段付き円錐台，中空楕円柱，中空段付き楕円柱，中空楕円錐台，中空段付き円錐台の形状で，ほかにも鼓状，太鼓状，ラッパ状のものが考えられる。
編み方の一例として、平編、リブ編、パール編、両面編、柄物など様々な編み方があり、別に同じような編み方であっても糸の長さを変えたり糸の本数を変えたりする編み方もある。
【００２８】
請求項４の発明にかかわる手段である，請求項１〜請求項３のいずれかの液垂れ防止具（Ｎ）を形成するための長尺液垂れ防止具材（Ａ）であって、前記長尺液垂れ防止具材（Ａ）は、筒状の構造で伸縮性と吸着性を有し、前記長尺液垂れ防止具材（Ａ）は、前記長尺液垂れ防止具材（Ａ）の所望する箇所を裁断することにより、所望する長さの請求項１〜請求項３のいずれかの前記液垂れ防止具（Ｎ）を複数個以上形成することができる、前記液垂れ防止具は、前記長尺液垂れ防止具材（Ａ）によって形成されることには，下記に記す効果がある。
（００１）筒状の構造の長尺液垂れ防止具材（Ａ図５ａ、図６ａ）は、所望する長さに裁断することにより、筒状の液垂れ防止具（Ｎ図５ｂ、図５ｃ、図６ｂ）を複数個以上形成することができる。
（００２）筒状の液垂れ防止具（Ｎ図６ｂ）を形成し、前記液垂れ防止具（Ｎ図６ｂ）の上周縁（ｈ１）から下周縁（ｈ２）を一線裁断することにより、刷毛（ＨＫ）で、極端に太い柄首部（ｅ２）や極端に細い柄首部（ｅ２）を含め、ほとんど全ての刷毛（ＨＫ）の柄首部（ｅ２）に装着することができる帯状の液垂れ防止具（Ｎ図６ｃ）を形成することができる。
（００３）長尺液垂れ防止具材（Ａ図５ａ、図６ａ）は、液垂れ防止具（Ｎ）を１個１個形成するよりも安価に製造できる。
【００２９】
請求項５の発明にかかわる手段である，請求項１〜請求項４のいずれかの液垂れ防止具（Ｎ）であって，前記液垂れ防止具（Ｎ図２、図４ａ、図４ｂ）は、２以上の複数層であることには，下記に記す効果がある。
液垂れ防止具（Ｎ）が複数層であるため，液垂れ防止具（Ｎ）の最内層（ｎｈ）から最表層（ｇｈ）側に含浸するたびに、塗布液の粒子が大きい顔料から段々と吸着し濾過される。
【００３０】
請求項６の発明にかかわる手段である，請求項５の液垂れ防止具（Ｎ図２）であって，前記液垂れ防止具（Ｎ図２）は、２以上の複数層の上周縁（ｈ１図２）が開いている液垂れ防止具（ＮＢ図２）には，下記に記す効果がある。
液垂れ防止具（Ｎ図２）の２以上の複数層の上周縁（ｈ１図２）がほどよく解れ毛羽立つ。
そのため，始めに含浸する箇所が広くなり，柄首部（ｅ２図８）で，確実に塗布液が含浸しやすい。
【００３１】
請求項７の発明にかかわる手段である，請求項５又は請求項６の液垂れ防止具（Ｎ）であって，前記液垂れ防止具（Ｎ）は，２以上の複数層の下周縁（ｈ２図２，図４ａ、図４ｂ）が閉じている液垂れ防止具（Ｎ図２）には，下記に記す効果がある。
液垂れ防止具（Ｎ図２）の複数層の下周縁（ｈ２図２）が閉じているため，含浸した塗布液がとまる。
【００３２】
請求項８の発明にかかわる手段である，液垂れ防止具（Ｎ）に関する請求項８の発明の課題を解決するための手段は，請求項５〜請求項７のいずれかの液垂れ防止具（Ｎ）であって，前記液垂れ防止具（Ｎ）は、２以上の複数層の各々の層の長さが上周縁（ｈ１図４ａ、図４ｂ）側で違うことには，下記に記す効果がある。
刷毛（ＨＫ）の柄部（ｅ１）に接地している前記液垂れ防止具（Ｎ）の最内層（ｎｈ）がほかの層より長いことで、始めに最内層（ｎｈ）の層から含浸され、前記液垂れ防止具（Ｎ）の最内層（ｎｈ）〜最表層（ｇｈ）へ塗布液が含浸するたびに前記塗布液が段々と吸着し濾過される。
【００３３】
請求項９の発明にかかわる手段である，請求項２〜８のいずれかの液垂れ防止具（Ｎ）であって，前記液垂れ防止具（Ｎ図３ａ、図３ｂ）は、複数の編み方で編まれた編み物であるが、その一例として，平編み部（ａｈ図３ａ、図３ｂ、図４ａ、図４ｂ）と，リブ編み部（ａｒ図３ａ、図３ｂ、図４ａ、図４ｂ）との組合せによる液垂れ防止具（Ｎ図３ａ、図３ｂ、図４ａ、図４ｂ）の場合の効果を下記に記す。
（００１）液垂れ防止具（Ｎ図４ａ、図４ｂ）の２層の外側を平編み部（ａｈ）にして，中空部（ｔｋ）側をリブ編み部（ａｒ）にして使用することにより，刷毛（ＨＫ）の柄首部（ｅ２）が細い場合でも装着できる。
（００２）刷毛（ＨＫ）の柄首部（ｅ２）がその中間の太さの場合，液垂れ防止具（Ｎ図４ａ、図４ｂ）の２層の外側をリブ編み部（ａｒ）にして中空部（ｔｋ）側を平編み部（ａｈ）にして使用する。前記のように構造を変えることで，刷毛（ＨＫ）で、極端に太い柄首部（ｅ２）と極端に細い柄首部（ｅ２）を除き、ほぼ全てのサイズの刷毛（ＨＫ）の柄首部（ｅ２）に装着することができる。
（００３）液垂れ防止具（Ｎ）を重ねて使用する場合、先に装着した液垂れ防止具（Ｎ）の最表層（ｇｈ）の上にリブ編み部（ａｒ）を重ねて装着した場合、平編み部（ａｈ）を重ねて装着した場合に比べ、塗布液は、緩やかに含浸する。
【００３４】
請求項１０の発明にかかわる手段である，請求項２〜請求項９のいずれかの液垂れ防止具（Ｎ）であって，前記液垂れ防止具（Ｎ）は、解れ防止加工を施していることには，下記に記す効果がある。
編み物である液垂れ防止具（Ｎ）は解れ易いため、解れ防止加工を施すことにより裁断しても前記液垂れ防止具（Ｎ）は解れすぎることなく、ほどよい解れを保つことができる。
【００３５】
請求項１１の発明にかかわる手段である，請求項１〜請求項１０のいずれかの液垂れ防止具（Ｎ）であって，前記液垂れ防止具（Ｎ）は、少なくとも最表層（ｇｈ）の所望する面を，伸縮性を有する防水性薄膜（ｂｈ）で防水加工している前記液垂れ防止具（Ｎ）には，下記に記す効果がある。
前記液垂れ防止具（Ｎ）は，少なくとも最表層（ｇｈ）の所望する面を，伸縮性を有する防水性薄膜（ｂｈ）で防水加工することにより刷毛（ＨＫ）を持つ手が汚れない。
【００３６】
請求項１２の発明にかかわる手段である，刷毛（ＨＫ）で、柄首部（ｅ２図７ａ、図７ｂ）部分の柄部（ｅ１）が右割柄部（ｗａ図７ａ、図７ｂ）と左割柄部（ｗｂ図７ａ、図７ｂ）で構成される前記刷毛（ＨＫ図７ａ、図７ｂ）の場合は，請求項１〜請求項１１のいずれかの柄首液垂れ防止具（ＮＢ）と，更に前記柄首液垂れ防止具（ＮＢ）を装着させる前に，前記刷毛（ＨＫ）の右割柄部（ｗａ図７ａ、図７ｂ）と左割柄部（ｗｂ図７ａ、図７ｂ）の間であって，前記刷毛（ＨＫ）の柄首部（ｅ２）に割柄間液垂れ防止具（ＮＣ）を，前記刷毛（ＨＫ）の右割柄部（ｗａ図７ａ、図７ｂ）と左割柄部（ｗｂ図７ａ、図７ｂ）の内側と前記柄首液垂れ防止具（ＮＢ）の最内層（ｎｈ）に接するように装着し，前記柄首液垂れ防止具（ＮＢ）を前記刷毛（ＨＫ）に装着する液垂れ防止具（Ｎ）の装着方法には，下記に記す効果がある。
（００１）刷毛（ＨＫ図７ａ）の右割柄部（ｗａ図７ａ、図７ｂ）と左割柄部（ｗｂ図７ａ、図７ｂ）の間に割柄間液垂れ防止具（ＮＣ図７ａ、図７ｂ）を装着することにより前記刷毛（ＨＫ図７ａ）の右割柄部（ｗａ図７ａ、図７ｂ）と左割柄部（ｗｂ図７ａ、図７ｂ）の間から垂れ流れる塗布液を、前記割柄間液垂れ防止具（ＮＣ図７ａ、図７ｂ）は、前記塗布液を含浸して、吸着しながら濾過する。
（００２）柄部液垂れ防止具（ＮＢ図８）を装着させることにより，前記柄部液垂れ防止具（ＮＢ図８）が刷毛（ＨＫ）の右割柄部（ｗａ図７ａ、図７ｂ）と左割柄部（ｗｂ図７ａ、図７ｂ）の間に装着した割柄間液垂れ防止具（ＮＣ図７ａ、図７ｂ）が抜け落ちるのを防止する。
（００３）柄部液垂れ防止具（ＮＢ図８）と割柄間液垂れ防止具（ＮＣ図７ａ、図７ｂ）は手元に塗布液が垂れ流れるのを防止する。
（００４）刷毛（ＨＫ図７ａ、図７ｂ）の柄首部（ｅ２図７ａ、図７ｂ）に，装着することで、右割柄部（ｗａ図７ａ、図７ｂ）と左割柄部（ｗｂ図７ａ、図７ｂ）の外側に垂れ流れる塗布液を柄部液垂れ防止具（ＮＢ図８）が刷毛（ＨＫ図８）の柄首部（ｅ２図８）で、前記柄部液垂れ防止具（Ｎ図８）は前記塗布液を含浸し吸着しながら濾過する。
【００３７】
請求項１３の発明にかかわる手段である，請求項１〜請求項１０のいずれかの液垂れ防止具（Ｎ）を柄首部（ｅ２）に装着された刷毛（ＨＫ）であって、前記刷毛（ＨＫ）に着された前記液垂れ防止具（Ｎ）の上周縁（ｈ１）が見えるように、請求項１〜請求項１１のいずれかの柄首液垂れ防止具（ＮＢ）を前記刷毛（ＨＫ）に着された前記液垂れ防止具（Ｎ）の上に重ねて装着する液垂れ防止具（Ｎ）の装着方法には，下記に記す効果がある。
（００１）柄部液垂れ防止具（ＮＢ）の上周縁（ｈ１）を刷毛（ＨＫ）の毛結部（ｋｍ）側にして装着し、その上から別の複数の編み方で編まれた柄部液垂れ防止具（ＮＢ）のリブ編み部（ａｒ）を重ねて装着することで、前記柄部液垂れ防止具（ＮＢ）は、塗布液をほどよく含浸して、より吸着しながら濾過することができる。
（００２）帯状の柄部液垂れ防止具（ＮＢ）の上に重ねて筒状の柄部液垂れ防止具（ＮＢ図９）を装着することにより、先に装着した帯状の前記柄部液垂れ防止具（ＮＢ）を定着させることができる。
（００３）柄部液垂れ防止具（ＮＢ図９）の上に重ねて柄部液垂れ防止具（ＮＢ図９）を装着しても前記柄部液垂れ防止具（ＮＢ）が塗工の邪魔をすることなく、確実に塗布液の垂れ流れを防ぐ。
（００４）先に装着された前記柄部液垂れ防止具（ＮＢ）の上周縁（ｈ１）が見えるように装着することにより、前記柄部液垂れ防止具（ＮＢ）は、最内層（ｎｈ）から最表層（ｇｈ）で、順番に塗布液を含浸し、吸着しながら濾過させることができる。
（００５）刷毛（ＨＫ図８）の柄首部（ｅ２図８）に，重ねて柄部液垂れ防止具（ＮＢ図８）を装着することで、前記刷毛（ＨＫ図７ａ）を保持しやすくなる。
【図面の簡単な説明】
【００３８】
【図１】（ａ）筒状の液垂れ防止具（Ｎ）の断面図。（ｂ）前記の側面図。
【図２】液垂れ防止具（Ｎ）の断面図。
【図３】液垂れ防止具（Ｎ）の断面図。
【図４】（ａ）液垂れ防止具（Ｎ）の断面図。（ｂ）液垂れ防止具（Ｎ）の断面図。
【図５】（ａ）筒状の構造である長尺液垂れ防止具材（Ａ）の正面図。（ｂ）所望する箇所を裁断し、筒状の液垂れ防止具（Ｎ）を形成させた説明図。（ｃ）筒状の液垂れ防止具（Ｎ）を筒状で複層の液垂れ防止具（Ｎ）に変えたことを説明する図。
【図６】（ａ）筒状の構造である長尺液垂れ防止具材（Ａ）の正面図。（ｂ）所望する箇所を裁断し、筒状の液垂れ防止具（Ｎ）を形成させた説明図。（ｃ）筒状の液垂れ防止具（Ｎ）を帯状の液垂れ防止具（Ｎ）に変えたことを説明する図。
【図７】（ａ）柄首部（ｅ２）部分の柄部（ｅ１）が右割柄部（ｗａ）と左割柄部（ｗｂ）で構成される刷毛（ＨＫ）に割柄間液垂れ防止具（ＮＣ）を装着する正面図。（ｂ）前記の側面図。
【図８】柄首部（ｅ２）部分の柄部（ｅ１）が右割柄部（ｗａ）と左割柄部（ｗｂ）で構成される刷毛（ＨＫ）に柄部液垂れ防止具（ＮＢ）を装着する側面図。
【図９】柄首部（ｅ２）部分の柄部（ｅ１）が右割柄部（ｗａ）と左割柄部（ｗｂ）で構成される刷毛（ＨＫ）に柄部液垂れ防止具（ＮＢ）を重ねて装着する側面図。
【図１０】洋刷毛に柄部液垂れ防止具（ＮＢ）を装着する図。
【図１１】ローラー刷毛（ＲＨ）に柄部液垂れ防止具（ＮＢ）を装着する図。
【発明を実施するための形態】
【００３９】
下記に本発明の実地の形態を図面に沿って本発明の実地するための形態を述べるが，下記実施例及び図面などは，本発明を何ら限定するものではない。
【００４０】
刷毛（ＨＫ）の柄首部（ｅ２図７ａ、図７ｂ、図８、図９）部分の柄部（ｅ１図７ａ、図７ｂ、図８、図９）が右割柄部（ｗａ図７ａ、図７ｂ、図８、図９）と左割柄部（ｗｂ図７ａ、図７ｂ、図８、図９）で構成される前記刷毛（ＨＫ図７ａ、図７ｂ、図８、図９）に装着する液垂れ防止具（Ｎ図７ａ、図７ｂ、図８、図９）の実施例を説明する。
（００１）糸で編まれた長い筒状の構造をした編み物で、伸縮性と吸着性を有する長尺液垂れ防止具材（Ａ図５ａ、図６ａ）である。
前記長尺液垂れ防止具材（Ａ図５ａ、図６ａ）は，所望する長さで，巾は片面１０編み目（全周２０編み目）で，太い糸４本の平織りである。
（００２）上記長尺液垂れ防止具材（Ａ図５ａ、図６ａ）の所望する箇所を裁断し、長さ１００ｍｍ程度の柄首液垂れ防止具（ＮＢ図５ｂ、図６ｂ）と長さ７０ｍｍ程度の割柄間液垂れ防止具（ＮＣ図５ｂ、図６ｂ）を合わせて２つ形成する。
長尺液垂れ防止具材（Ａ）を裁断することにより、ほどよい解れを有する液垂れ防止具（Ｎ）を形成することができる。
（００３）柄首液垂れ防止具（ＮＢ）を装着させる前に，刷毛（ＨＫ図７ａ、図７ｂ）の右割柄部（ｗａ図７ａ、図７ｂ）と左割柄部（ｗｂ図７ａ、図７ｂ）の間であって，柄首部（ｅ２図７ａ、図７ｂ）に，割柄間液垂れ防止具（ＮＣ図７ａ、図７ｂ）を装着させるが，刷毛（ＨＫ）の右割柄部（ｗａ図７ａ）と左割柄部（ｗｂ図７ａ）の内側に接するように装着する。
そのとき，前記刷毛（ＨＫ図７ａ、図７ｂ）の右割柄部（ｗａ図７ａ、図７ｂ）と左割柄部（ｗｂ図７ａ、図７ｂ）から，前記割柄間液垂れ防止具（ＮＣ図７ａ、図７ｂ）の一部部分がはみ出るように装着する。
はみ出るように装着することにより，次に装着する前記柄部液垂れ防止具（ＮＢ図２、図４ａ、図４ｂ、図８）の最内層（ｎｈ図２、図４ａ、図４ｂ）に接するように装着できる。
（００４）前記刷毛（ＨＫ図８）の柄端部（ｅ３図８）から，前記柄部液垂れ防止具（ＮＢ図８）を挿入するが，そのとき，前記柄部液垂れ防止具（ＮＢ図２、図４ａ、図４ｂ、図８）の上周縁（ｈ１図２図４ａｂ）側から挿入する。
前記刷毛（ＨＫ図８）の柄首部（ｅ２図８）に前記柄部液垂れ防止具（ＮＢ図８）を装着するが、前に装着させた割柄間液垂れ防止具（ＮＣ図７ａ、図７ｂ）が，前記柄部液垂れ防止具（ＮＢ図２、図４ａ、図４ｂ）の最内層（ｎｈ図２、図４ａ、図４ｂ、図８）に接するように装着する。
そのとき、柄部（ｅ１）に接する柄部液垂れ防止具（ＮＢ図２、図４ａ、図４ｂ）の最内層（ｎｈ図２、図４ａ、図４ｂ、図８）の上周縁（ｈ１）が最表層（ｇｈ）の上周縁（ｈ１）より長くして装着する。
（００５）つづいて、請求項６の柄部液垂れ防止具（ＮＢ）を装着するが、前に装着した柄部液垂れ防止具（ＮＢ図９）の上に重ねて装着する。
そのとき、前に装着した柄部液垂れ防止具（ＮＢ図９）の上周縁（ｈ１）が確実に見えるように重ねて装着する。
なを、刷毛（ＨＫ図１０）で洋刷毛の場合は割柄間液垂れ防止具（ＮＣ図７ａ、図７ｂ）は必要ない。
【００４１】
別の一例として，ローラー刷毛（ＲＨ図１１）に液垂れ防止具（Ｎ図１１）を装着させる場合を下記に記す。
ローラー刷毛（ＲＨ図１１）のローラー部（ｒｓ図１１）を装着する取付け部（ｔ１図１１）に、前記ローラー部（ｒｓ図１１）を装着する前に、取付け金具（ｔ１図１１）の先端から前記液垂れ防止具（Ｎ図１１）を挿入し、前記取付け金具（ｔ１図１１）の金具柄首部（ｔ２図１１）の所望する箇所に装着する。
【産業上の利用可能性】
【００４２】
塗工を行う産業は，裾野の広い産業で，塗布する対象物（家屋，陸橋，配管，犬小屋，テラス，塀、）の美観・保護・老朽化を遅らせるためや、防腐，防虫，遮熱、灰汁抜き、塗料剥離など目的に応じて塗布する。
塗工は、熟練工から一般人まで様々な人が塗工をしている。
塗工に使用するほぼ全ての刷毛（ＨＫ）に液垂れ防止具（ＮＢ）は装着でき，柄部（ｅ１）に垂れ流れる塗布液を柄首部（ｅ２）で含浸して、吸着し濾過するので前記液垂れ防止具（ＮＢ）は前記塗布液の垂れ流れを防止する。  
塗工に不慣れな人でも不要に塗工を中断して，軍手、手袋、作業服を取り替えたりする必要がなくなる。
【００４３】
液垂れ防止具（Ｎ）は，安価に大量生産ができる編み物で，刷毛（ＨＫ）の柄首部（ｅ２）で、塗垂れ流れを防止するので建築業界は言うに及ばず，塗工のある産業であれば，液垂れ防止具（Ｎ）を活用することにより作業能率は上がるので、産業上の利用性は大きいと考えられる。
【符号の説明】
【００４４】
Ａ    長尺液垂れ防止具材
Ｎ    液垂れ防止具
ＮＢ  柄首液垂れ防止具
ＮＣ  割柄間液垂れ防止具
ｔｋ  中空部
ｈ１  上周縁
ｈ２  下周縁
ｇｈ  最表層
ｎｈ  最内層
ｂｈ  防水性薄膜
ａｈ  平編み部
ａｒ  リブ編み部
ＨＫ  刷毛
ｋｓ  毛束部
ｋｍ  毛結部
ｅ１  柄部
ｗａ  右割柄部
ｗｂ  左割柄部
ｅ２  柄首部
ｅ３  柄端部
ＲＨ ローラー刷毛  
ｒｓ  ローラー部  
ｔ１  （ローラー部の）取付け部
ｔ２    金具柄首部
【図１】
2014133226.tif 000003
【図２】
2014133226.tif 000004
【図３】
2014133226.tif 000005
【図４】
2014133226.tif 000006
【図５】
2014133226.tif 000007
【図６】
2014133226.tif 000008
【図７】
2014133226.tif 000009
【図８】
2014133226.tif 000010
【図９】
2014133226.tif 000011
【図１０】
2014133226.tif 000012
【図１１】
2014133226.tif 000013